(57)【要約】【課題】 ユーザのＳＤカードへの映像情報の記録に伴う管理作業を大幅に削減すること。【解決手段】 挿抜可能な第１の記録媒体に情報を記録するための第１の記録手段と、該第１の記録媒体の記録可能容量を獲得し、獲得した記録可能容量と等しいか小さい容量となる第１の記録媒体に対する容量を決定する記録容量決定手段と、  第２の記録媒体に情報を記録するための第２の記録手段と、入力または生成される情報について、該記録容量決定手段により決定した容量までの前半部分を第１の記録手段を通じて第１の記録媒体に記録し、残りの後半部分を第２の記録手段を通じて第２の記録媒体に記録する記録制御手段とを備えて構成される。【選択図】図１
2005347895.tif 000002
【特許請求の範囲】
【請求項１】
挿抜可能な第１の記録媒体に情報を記録するための第１の記録手段と、
前記第１の記録媒体の記録可能容量を獲得し、獲得した記録可能容量と等しいか小さい容量となる第１の記録媒体に対する容量を決定する記録容量決定手段と、
第２の記録媒体に情報を記録するための第２の記録手段と、
入力または生成される情報について、前記記録容量決定手段により決定した容量までの前半部分を第１の記録手段を通じて第１の記録媒体に記録し、残りの後半部分を第２の記録手段を通じて第２の記録媒体に記録する記録制御手段と
を具備することを特徴とする情報記録装置。
【請求項２】
ＴＶチューナを含む機器からの入力信号をＭＰＥＧを含む符号化方式に基づき符号化する符号化手段をさらに具備する請求項１記載の情報記録装置であって、
前記第１、第２の記録媒体に記録される情報は、前記符号化手段により生成した映像情報であることを特徴とする情報記録装置。
【請求項３】
前記第１、第２の記録媒体に記録される情報は、ネットワーク等を経由して受信されたＭＰＥＧ等の符号化方式で符号化された映像情報であることを特徴とする請求項１記載の情報記録装置。
【請求項４】
ＭＰＥＧを含む符号化情報を異なる符号化方式、またはビットレートもしくは映像解像度を削減した異なる映像情報に変換する符号情報変換手段をさらに具備し、
前記第１、第２の記録媒体に記録される情報は、ネットワーク等を経由して受信された第１の映像符号情報を、前記符号情報変換手段により、異なる第２の映像符号情報に変換されたものであることを特徴とする請求項１記載の情報記録装置。
【請求項５】
請求項１記載の情報記録装置において、
第１の記録媒体の挿抜状態を検出する挿抜検出手段と、
情報の記録時に第１の記録媒体が挿入されていない場合に、一時的に第２の記録媒体に情報を記録する代替記録手段と、
前記代替記録手段によって一時的に記録されている情報を、前記記録容量決定手段により決定した容量となる前半部分の情報と残りの後半部分の情報に分割する情報分割手段をさらに有し、
前記記録制御手段は、前記挿抜検出手段により第１の記録媒体の挿入を検出した後、前記情報分割手段により分割された前半部分の情報を前記第１の記録媒体に記録し、前記第２の記録媒体には残りの後半部分の情報のみを記録することを特徴とする情報記録装置。
【請求項６】
請求項５記載の情報記録装置において、
代替記録手段により記録された情報がＭＰＥＧ等の符号化方式に基づいて符号化された映像情報である場合に、前記情報分割手段は、前記符号化方式に基づき、情報が独立して復号可能となるように、情報を分割する位置を調整し、ヘッダを含む必要な情報を補う情報調整手段を具備することを特徴とする情報記録装置。
【請求項７】
前記第１の記録媒体を挿入し、内部の映像情報を視聴することが可能な携帯型映像再生機器において、前記第１の記録媒体に記録された映像情報を視聴した場合、その視聴実績情報を前記第１の記録媒体中の所定の管理情報データに記録する視聴実績情報記録手段を有する携帯型映像再生機器と、
前記第１の記録媒体が挿入された場合、その視聴実績情報に基づき、最後まで映像情報を見終えた映像情報データを自動的に削除する削除手段を有する請求項２、３、４、６のいずれか１項に記載の情報記録装置と
を具備することを特徴とする情報記録再生システム。
【発明の詳細な説明】
【技術分野】
【０００１】
本発明は、例えば映像情報を記録媒体に記録再生するための情報記録装置及び情報記録再生システムに関する。
【背景技術】
【０００２】
情報記録装置として、Ｄｉｇａ（商標）シリーズがある。ＤｉｇａはＳＤ／ＭＭＣカードスロットとＰＣＭＣＩＡカードスロットを備え、それらをストレージデバイスとしてＭＰＥＧ４の画像データを格納する機能を持つ。
【０００３】
Ｄｉｇａでは、ＭＰＥＧ４データは録画時にＭＰＥＧ２データと同時にＨＤＤ上に格納する機能と、記録済みのＭＰＥＧ２データからＭＰＥＧ４データを作成する機能を持つ。
【０００４】
ＳＤカードをはじめとするリムーバブルメディアへの記録は、ユーザオペレーションにて実施される。記録されるＭＰＥＧ４データは往々にしてリムーバブルメディアのサイズよりも大きくなることがあるため、Ｄｉｇａでは予めリムーバブルメディアのサイズを設定しておき、MPEG4形式で録画する場合は、設定されたサイズ一杯に格納可能なＭＰＥＧ４ファイルに分割して記録するという方式をとっている。
【０００５】
しかしながら既存の製品は、プリセットされたサイズに映像データを予め分割して録画していたため、挿入されているＳＤカードの容量が小さかったり、別のデータが格納されていることにより、プリセットされたサイズ分の空き容量が無い場合に、ＳＤカード内のデータを削除する等の作業が必要となっていた。
【０００６】
なお、下記特許文献１には、ビットレートの異なる２種の情報を記録するための技術が開示されている。また下記特許文献２には、録画したいＴＶ番組情報を、携帯情報端末機にインターネットから取込み・書き込んで、この情報をメモリカードに転送し、このメモリカードを記録機に入れるだけで、自動的にタイマ予約を終え、このメモリカードにＴＶ番組が自動的に記録される技術が開示されている。
【特許文献１】特開２００３−０３７８１７号公報
【特許文献２】特開２００２−０６４７８２号公報
【発明の開示】
【発明が解決しようとする課題】
【０００７】
このように、既存の製品は、プリセットされたサイズに映像データを予め分割して録画していたため、挿入されているＳＤカードの容量が小さかったり、別のデータが格納されていることにより、プリセットされたサイズ分の空き容量が無い場合に、ＳＤカード内のデータを削除する等の作業が必要となっていた。
【０００８】
また、上記の特許文献１及び２では、記録したい番組等のファイルの容量がＳＤカード等のリムーバブルメディアの空き容量を超える場合には、予めユーザ側でサイズを測った上で分割するか、或いは装置側で一律ＨＤＤへの録画とするか、という既存の技術を超えるものは開示も示唆もされていない。この場合には、ユーザに計測、分割、削除、再録画といった諸々の作業を強いることとなり、不便である。
【０００９】
今後、ＳＤカードの応用分野が広がるにつれて、上記の不便はユーザ側への負担を増し、特に、一つのSDカードに様々な機器で生成されたデータが格納される場合が多くなり、既存のプリセットされたサイズでの映像データ分割には不便になることが予想される。
【００１０】
本発明は上記の従来技術の問題を解決するためになされたもので、リムーバブルメディアの空き容量を検出してＭＰＥＧ４データのサイズを変更して分割・保存することを可能とする情報記録装置及び情報記録再生システムを提供することを目的とする。
【００１１】
本発明はさらに、リムーバブルメディアの空き容量を検出して適用的に、装置側で分割・記録を行うことでユーザの利便性を飛躍的に向上させる情報記録装置及び情報記録再生システムを提供することを目的とする。
【課題を解決するための手段】
【００１２】
かかる課題を解決するため、本発明に係る情報記録装置は、挿抜可能な第１の記録媒体に情報を記録するための第１の記録手段と、  該第１の記録媒体の記録可能容量を獲得し、獲得した記録可能容量と等しいか小さい容量となる第１の記録媒体に対する容量を決定する記録容量決定手段と、第２の記録媒体に情報を記録するための第２の記録手段と、入力または生成される情報について、当該記録容量決定手段により決定した容量までの前半部分を第１の記録手段を通じて第１の記録媒体に記録し、残りの後半部分を第２の記録手段を通じて第２の記録媒体に記録する記録制御手段とを具備する。
【００１３】
「挿抜可能な第１の記録媒体」とは、本発明に係る情報記録装置に蔵される挿入口に挿入・抜き出しが可能な記録媒体をいい、例えば、メモリカード、ＤＶＤ、ディスク等を含むメディア一般をいい、望ましくは、メモリカード等のフラッシュメモリをいう。「第２の記録媒体」とはハードディスクを含む記録媒体一般を指す。
【００１４】
「第１の記録手段」とは、例えば上記のような第１の記録媒体への記録を制御し実行する機能を有する「第１の記録装置」として、或いは電子回路として、またはこの機能を情報処理装置に実現させるための一連の命令語として、或いは当該命令語を記憶させた例えばＲＯＭなどといった記録媒体として実現してもよい。また、「第１の記録部」としての機能をＣＰＵ（中央処理装置）に遂行させるように構成することで実現してもよい。
【００１５】
「第２の記録手段」とは、同様に例えば、上記のような第２の記録媒体への記録を制御し実行する機能を有する「第２の記録装置」、電子回路、命令語、記録媒体、或いはＣＰＵ（中央処理装置）内の「第２の記録部」として実現される。
【００１６】
「記録容量決定手段」は、例えばＳＤカードとしての第１の記録媒体の記録可能容量を獲得し、獲得した記録可能容量と等しいか小さい容量となるように第１の記録媒体に対する容量を決定する機能を有する「記録容量決定装置」として、或いは電子回路として、またはこれらの機能を情報処理装置に実現させるための一連の命令語として、或いは当該命令語を記憶させた例えばＲＯＭなどといった記録媒体として実現してもよい。また、「記録容量決定部」としての機能をＣＰＵ（中央処理装置）に遂行させるように構成することで実現してもよい。
【００１７】
「記録制御手段」は、例えば、入力または生成される情報について、上記の記録容量決定手段により決定した容量までの前半部分を第１の記録手段を通じて例えばＳＤカードなどの第１の記録媒体に記録し、残りの後半部分を第２の記録手段を通じて例えばハードディスクなどの第２の記録媒体に記録する機能を有する「記録制御装置」、電子回路、命令語、記録媒体、或いはＣＰＵ（中央処理装置）内の「記録制御部」として実現される。
【００１８】
このように構成される本発明によれば、挿入されているまたは挿入されたリムーバブルメディアのサイズを適宜検出し、記録可能なサイズに分割して記録する機能を装置側で持つため、入力または生成される情報について、記録容量決定手段により決定した容量までの前半部分を第１の記録部を通じて第１の記録媒体（例えばＳＤカード）に記録し、残りの後半部分を第２の記録部を通じて第２の記録媒体（例えばＨＤＤ）に記録するように記録制御手段が制御でき、ユーザは計測、分割といった作業を強いられずにすみ、利便性が向上する。
【００１９】
本発明に係る情報記録装置はこのとき、ＴＶチューナ等からの入力信号をＭＰＥＧ等の符号化方式に基づき符号化する符号化機能をさらに具備させ、第１、第２の記録媒体に記録される情報を当該符号化機能により生成した映像情報であるように構成してもよい。または、第１、第２の記録媒体に記録される情報は、ネットワーク等を経由して受信されたＭＰＥＧ等の符号化方式で符号化された映像情報であるように構成してもよい。このように構成することで、取り扱われるべき情報は圧縮され、格納性がさらに向上する。
【００２０】
或いは本発明に係る情報記録装置は上記の構成に加えて、ＭＰＥＧを含む符号化情報を異なる符号化方式、またはビットレートもしくは映像解像度を削減した異なる映像情報に変換する符号情報変換手段をさらに具備し、当該第１、第２の記録媒体に記録される情報は、ネットワーク等を経由して受信された第１の映像符号情報を、該符号情報変換手段により、異なる第２の映像符号情報に変換されたものであるように構成してもよい。このように構成することで、ネットワーク等を経由して受信する情報を異なる符号情報に変換できるので、利便性がさらに向上する。
【００２１】
または、上記のように構成される本発明に係る情報記録装置において、第１の記録媒体の挿抜状態を検出する挿抜検出手段と、情報の記録時に第１の記録媒体が挿入されていない場合に、一時的に第２の記録媒体に情報を記録する代替記録手段と、当該代替記録手段によって一時的に記録されている情報を、前記記録容量決定手段により決定した容量となる前半部分の情報と残りの後半部分の情報に分割する情報分割手段をさらに具備させ、当該記録制御手段は、該挿抜検出手段により第１の記録媒体の挿入を検出した後、情報分割手段により分割された前半部分の情報を第１の記録媒体に記録し、第２の記録媒体には残りの後半部分の情報のみを記録するように構成してもよい。
【００２２】
ここで「挿抜検出手段」とは、例えば、第１の記録媒体（例えばＳＤカード）の挿抜状態を検出する機能を有する「挿抜検出装置」、電子回路、命令語、記録媒体、或いはＣＰＵ（中央処理装置）内の「挿抜検出部」として実現される。
【００２３】
「代替記録手段」とは、例えば、情報の記録時に第１の記録媒体（例えばＳＤカード）が挿入されていない場合に、一時的に第２の記録媒体（例えばＨＤＤ）に情報を記録する機能を有する「代替記録装置」、電子回路、命令語、記録媒体、或いはＣＰＵ（中央処理装置）内の「代替記録部」として実現される。
【００２４】
「情報分割手段」とは、例えば、上記の代替記録手段によって一時的に記録されている情報を、記録容量決定手段により決定した容量となる前半部分の情報と残りの後半部分の情報に分割する機能を有する「情報分割装置」、電子回路、命令語、記録媒体、或いはＣＰＵ（中央処理装置）内の「情報分割部」として実現される。
【００２５】
このように構成される本発明によれば、挿入されているまたは挿入されたリムーバブルメディアのサイズを適宜検出し、記録可能なサイズに分割して記録する機能に加え、既に記録済みの大きなファイルがあった場合には、分割して記録可能な部分までをリムーバブルメディアに格納する機能を装置側で持つので、適応的に記録媒体の記録可能容量に適した映像データを蓄積することが可能となり、ユーザはＳＤカードへの映像情報の記録に伴う管理作業を大幅に削減することが可能となる。
【００２６】
さらに、上記のように構成される本発明に係る情報記録装置において、代替記録手段により記録された情報がＭＰＥＧ等の符号化方式に基づいて符号化された映像情報である場合に、上記の情報分割手段は、当該符号化方式に基づき、情報が独立して復号可能となるように、情報を分割する位置を調整し、ヘッダを含む必要な情報を補う情報調整手段を具備するように構成してもよい。
【００２７】
「情報調整手段」とは、例えば、ＭＰＥＧ方式の映像情報として記録された情報に対して分割位置を調整し、ヘッダ等の必要な情報を補う機能を有する「情報調整装置」、電子回路、命令語、記録媒体、或いはＣＰＵ（中央処理装置）内の「情報調整部」として実現される。
【００２８】
このように構成される本発明によれば、分割された情報のそれぞれにヘッダを含む必要な情報が情報調整手段によって補われるので、符号化方式に基づいた情報を本発明によって分割・再生する場合に、分割後の情報についても支障なく再生することができ、さらに利便性が向上する。
【００２９】
さらに、本発明に係る情報記録再生システムは、第１の記録媒体を挿入し、内部の映像情報を視聴することが可能な携帯型映像再生機器において、当該第１の記録媒体に記録された映像情報を視聴した場合、その視聴実績情報を該第１の記録媒体中の所定の管理情報データに記録する視聴実績情報記録手段を有する携帯型映像再生機器と、当該第１の記録媒体が挿入された場合、その視聴実績情報に基づき、最後まで映像情報を見終えた映像情報データを自動的に削除する削除手段を有する上記記載のいずれかの情報記録装置とを具備して構成される。
【００３０】
「視聴実績情報記録手段」とは、例えばＳＤカードとしての第１の記録媒体が携帯型映像再生機器に挿入され該ＳＤカードに記録された映像情報がユーザによって視聴されたことを検出した場合に当該（視聴されたという）視聴実績情報を該ＳＤカード中の所定の管理情報データ（テーブル）に記録する機能を有する「視聴実績情報記録装置」、電子回路、命令語、記録媒体、或いは携帯型映像再生機器に係るＣＰＵ（中央処理装置）内の「視聴実績情報記録部」として実現される。
【００３１】
「削除手段」とは、情報記録装置に当該ＳＤカードとしての第１の記録媒体が挿入された場合、その視聴実績情報に基づき、最後或いはその近傍まで映像情報を見終えたと判断される映像情報データを自動的に削除する機能を有する「削除装置」、電子回路、命令語、記録媒体、或いは情報記録装置に係るＣＰＵ（中央処理装置）内の「削除部」として実現される。
【００３２】
このように構成される本発明によれば、視聴済み映像データを削除する機能を機器側で搭載することにより、記録媒体のデータ管理の省力化を実現することができるようになり、ユーザのＳＤカードへの映像情報の記録に伴う管理作業を大幅に削減することが可能となる。
【発明の効果】
【００３３】
本発明によれば、挿入されているまたは挿入されたリムーバブルメディアのサイズを適宜検出し、記録可能なサイズに分割して記録する機能を持つ。また既に記録済みの大きなファイルがあった場合には、分割して記録可能な部分までをリムーバブルメディアに格納する機能を持つ。これにより、ユーザはＳＤカードへの映像情報の記録に伴う管理作業を大幅に削減することが可能となる。
【００３４】
さらに本発明によれば、記録媒体のサイズを検出する手段と映像データを分割する手段を搭載することにより、適応的に記録媒体の記録可能容量に適した映像データを蓄積することが可能となる。
【００３５】
また本発明によれば、視聴済み映像データを削除する機能を搭載することにより、記録媒体のデータ管理の省力化を実現することができるようになる。
【発明を実施するための最良の形態】
【００３６】
以下、図面を参照して本発明の実施形態を説明する。
【００３７】
図１は本発明の一実施形態に係る情報記録装置１００の機器構成の例を示すブロック図である。本発明の情報記録装置１００は少なくとも下記の要素を備えて構成される。  
同図に示すように、主中央演算装置（以下、「主ＣＰＵ」という。）１０１は、メモリ装置１０２に展開された実行プログラムに従い、機器の各種デバイスを制御する。また主ＣＰＵ１０１は、ＳＤカード制御装置１０９を制御して、ＳＤカード１１０内の記録可能容量を予め確認し、メモリ装置１０２上の所定の管理テーブルに格納する。
【００３８】
メモリ装置１０２は、ＨＤＤ装置１０８に格納されたプログラムを展開したり、映像情報の符号化のためのデジタルデータの一時格納先等に利用する。バスブリッジ１０３は、ＰＣＩバスの制御装置１０６を含み、主ＣＰＵ１０１、メモリ装置１０２、ディスプレイ制御装置１０４の間のデータや制御信号の中継処理を司る。ディスプレイ制御装置１０４は、復号された映像情報の表示や、利用者へのユーザインターフェースのための画像・文字情報を制御する。
【００３９】
ＮＴＳＣデコーダ１０５は、ディスプレイ制御装置の出力を家庭用テレビ向けの映像信号に変換する。ＰＣＩバス１０６は、メモリや外部装置とデータをやりとりする際の通り道である信号線である。
【００４０】
ＩＤＥコントローラ１０７は、ＨＤＤ装置１０８を制御し、データの書出し、読込の制御を行う。ＨＤＤ装置１０８は、主ＣＰＵ１０１で実行するための制御プログラムや、ＭＰＥＧ４符号化された映像データを蓄積する。ＳＤカード制御装置１０９は、ＳＤカード１１０を制御し、データの書出し、読込の制御を行う。ＳＤカード１１０は、ＭＰＥＧ４符号化された映像データを蓄積する。
【００４１】
ＰＣＭデコーダ１１１は、ＰＣＭデータを音声信号に変換して家庭用テレビ向けの音声信号に変換する。ＭＰＥＧ４エンコーダ１１２は、テレビチューナ装置１１３から入力されたテレビの映像信号と音声信号をそれぞれ符号圧縮化しＭＰＥＧ４形式の映像データを生成する。テレビチューナ装置１１３は、テレビアンテナからのテレビ電波を受信し、ＭＰＥＧ４エンコーダ１１２に入力する。ネットワークインターフェース装置（ＮＩＣ）１１４は、家庭内のＬＡＮを経由してインターネットとの通信信号の制御を行う。
【００４２】
副ＣＰＵ１１５は、リモコン受信装置１１６、スイッチ制御装置１１７、及びパネルＬＥＤ制御装置１１８の制御を行う。リモコン信号受信装置１１６は、リモコンからの赤外線の信号を受信する。スイッチ制御装置１１７は、機器前面パネルのボタンの押印状態の信号を制御する。パネルＬＥＤ制御装置１１８は、機器前面の制御パネルの表示を制御する。
【００４３】
図２は、上記のように構成される主ＣＰＵ１０１のさらに詳細な構成を示すブロック図である。同図（ａ）に示すように、主ＣＰＵ１０１は、ＳＤカード１１０の記録可能容量を獲得し、こうして獲得した記録可能容量と等しいか小さい容量となるようにＳＤカード１１０に対する容量を決定するための記録容量決定部１０１１、及び当該記録容量決定部１０１１により決定された容量までの前半部分をＳＤカード１１０に記録するようにＳＤカード制御装置１０９を制御し、残りの後半部分をＨＤＤ装置１０８に記録するようにＩＤＥコントローラ１０７を制御する記録制御部１０１２を備えて構成してもよい。  
さらには同図（ｂ）に示すように主ＣＰＵ１０１は、これらに加え、ＳＤカード１１０の情報記録装置１００への挿抜状態を検出する挿抜検出部１０１３、情報の記録時にＳＤカード１１０が情報記録装置１００に挿入されていない場合に、一時的にＨＤＤ装置１０８に情報を記録する代替記録部１０１４、及び、代替記録部１０１４によって一時的にＨＤＤ装置１０８に記録されている情報を、記録容量決定部１０１１により決定した容量となる前半部分の情報と残りの後半部分の情報に分割する情報分割部１０１５を備えて構成してもよい。またさらに情報分割部１０１５は、ＭＰＥＧ方式の映像情報として記録された情報に対して分割位置を調整し、ヘッダ等の必要な情報を補う機能を有する情報調整部１０１５１を備えて構成してもよい。なおここでは、記録要領決定部１０１１、記録制御部１０１２、挿抜検出部１０１３、代替記録部１０１４、及び、情報分割部１０１５を主ＣＰＵ１０１内の各機能として実現する実施形態を説明したが、これらの各機能を主ＣＰＵ１０１内でなく、主ＣＰＵ１０１外の機能として、或いは各独立した装置、電子回路、命令語、記録媒体等として実現してもよい。
【００４４】
次に、このように構成される本発明の一実施形態に係る情報記録装置の動作を説明する。
【００４５】
図３は、本発明に係る情報記録装置の録画に関する動作を表すフローチャートである。  
同図に示すように、まず、主ＣＰＵ１０１はＳＤカード制御装置１０９を制御して、ＳＤカード１１０内の記録可能容量を予め確認し、メモリ装置１０２上の所定の管理テーブルに格納する（ステップ３０１）。
【００４６】
副ＣＰＵ１１５はリモコン信号受信装置１１６からの録画開始ボタンの押印信号を受け、主ＣＰＵ１０１に対し、制御イベントが発生した割り込みを生成する（ステップ３０２）。
【００４７】
主ＣＰＵ１０１は発生した割り込みイベントから録画開始指示を解読し、ＴＶチューナ１１３とＭＰＥＧ４エンコーダ１１２を制御して、ＴＶ信号の録画処理を開始させる（ステップ３０３）。
【００４８】
テレビチューナ１１５から入力されたテレビ信号は、ＭＰＥＧ４エンコーダ１１４でＭＰＥＧ４形式の映像データと音声データに変換されメモリ装置１０２の所定のバッファ領域にそれぞれ格納される（ステップ３０４）。
【００４９】
メモリ装置１０２に逐次格納されるＭＰＥＧ４形式の映像データと音声データは、再生に適した所定の形式で合成され、ヘッダ情報等を付与した記録用のＭＰＥＧ４ファイル形式に変換し、ＳＤカード１１０上の所定の領域に逐次追加記録される（ステップ３０５）。
【００５０】
主ＣＰＵ１０１は副ＣＰＵ１１５を介してパネルＬＥＤ制御装置１１８を制御して、利用者に対してＳＤカード１１０への記録中を示す文字情報を表示させる（ステップ３０６）。
【００５１】
主ＣＰＵ１０１は制御プログラムに従い、ＳＤカード１１０に逐次記録するデータのサイズを監視し、記録可能な容量を超えない所定のサイズに達した時点（ステップ３０７）で、ＳＤカード１１０への記録を中止し、ＳＤカード１１０に記録されたＭＰＥＧ４ファイルに対し必要な後処理を実施する。同時にＳＤカード１１０に記録された以降のＭＰＥＧ４エンコーダ１１２からの映像データは、新たな記録用のＭＰＥＧ４ファイルをＨＤＤ装置１０８に作成し、逐次追加される（ステップ３０８）。
【００５２】
または、ステップ３０７乃至３０８の動作は、記録容量決定部１０１１がＳＤカード１１０の記録可能容量を獲得し、記録可能な容量を超えない所定のサイズをＳＤカード１１０に対する容量として決定し（ステップ３０７’：図示せず）、記録制御部１０１２が当該記録容量決定部１０１１により決定された容量までの前半部分をＳＤカード１１０に記録するようにＳＤカード制御装置１０９を制御し、残りの後半部分をＨＤＤ装置１０８に記録するようにＩＤＥコントローラ１０７を制御する（ステップ３０８’：図示せず）ようにしてもよい。
【００５３】
主ＣＰＵ１０１はメモリ装置１０２上の所定の管理テーブル内のＳＤカード１１０内の記録可能容量を記録可能な空き容量が無い状態に更新する（ステップ３０９）。
【００５４】
主ＣＰＵ１０１は副ＣＰＵ１１５を介して、パネルＬＥＤ制御装置１１８を制御して、利用者に対してＨＤＤ装置１０８への記録中を示す文字情報を表示させる（ステップ３１０）。
【００５５】
副ＣＰＵ１１５のはリモコン信号受信装置１１６のからの録画終了ボタンの押印信号を受け、主ＣＰＵ１０１に対し、制御イベントが発生した割り込みを生成する（ステップ３１１）。
【００５６】
主ＣＰＵ１０１は発生した割り込みイベントから録画終了指示を解読し、ＴＶチューナ１１３とＭＰＥＧ４エンコーダ１１２を制御して、ＴＶ信号の録画処理を終了させる。さらにメモリ装置１０２上に格納されている合成前のＭＰＥＧ４形式の映像データと音声データを処理し、ＨＤＤ装置１０８に記録されたＭＰＥＧ４ファイルに対し必要な後処理を実施し、録画処理を終了する（ステップ３１２）。
【００５７】
次に、本発明の一実施形態に係る録画予約の動作を説明する。
【００５８】
図４は、本発明に係る情報記録装置の録画予約に関する動作を表すフローチャートである。  
同図に示すように、フローチャートの起点で録画予約は既にセットされた状態である（ステップ４０１）。利用者はＮＴＳＣデコーダ１０５を介してテレビモニタに出力される画面出力とリモコンを利用して、録画予約処理を実施する。この時点での録画予約された設定の機器内部での録画予約管理情報の一例を図５に示す。図５に示す例では、利用者は２００４年１月１日の１２時から１ｃｈの番組を２時間にわたって番組を録画予約している。映像の形式は、映像、音声合わせて５１２ＫｂｐｓのＭＰＥＧ４形式の映像情報としてＳＤカード１１０に録画するものである。
【００５９】
次に、録画開始時間になったか否かを確認する条件判断処理を行う（ステップ４０２）。
【００６０】
次に、録画開始時間になった後、機器にＳＤカード１１０が挿入されているか否かを判断する条件判断処理を行う（ステップ４０３）。
【００６１】
ステップ４０３の条件判断処理にて、機器にＳＤカード１１０が挿入されている場合、ＭＰＥＧ４データを記録可能なＳＤカード１１０の空き容量を確認する（ステップ４０４）。図６は、このときＳＤカード１１０の情報を取得した結果の一例を示す図である。図６によると、挿入されているＳＤカード１１０は２５６ＭＢの容量を持ち、そのうち１５６ＭＢが空き容量としてＭＰＥＧ４データの格納に利用できる。
【００６２】
次に、機器に搭載されているＨＤＤ装置１０８へＭＰＥＧ４データを記録可能な空き容量を確認する処理を行う（ステップ４０５）。図７は、ＨＤＤ装置１０８の情報を取得、更新した結果の一例を示す図である。図７によると、ＨＤＤ装置１０８は１６０ＧＢの容量を持ち、そのうち、現在は６０ＧＢが空き容量としてＭＰＥＧ４データの格納に利用できる。
【００６３】
続いて、録画予約された番組をＭＰＥＧ４形式のデータに変換する（ステップ４０６）。
【００６４】
記録開始からＳＤカード１１０に記録し、これから記録しようとするＭＰＥＧ４データの合計のファイルサイズがＳＤカード１１０上の所定の記録可能サイズよりも小さいか否かを判断する条件判断処理を行う（ステップ４０７）。
【００６５】
ステップ４０７の条件判断でＳＤカード１１０上に記録可能であると判断された場合に、ＳＤカード１１０上のＭＰＥＧ４ファイルに新たなＭＰＥＧ４データを作成・追加記録する（ステップ４０８）。
【００６６】
次に、録画終了時間になったか否かを確認する条件判断処理を行う（ステップ４０９）。
【００６７】
続いて、ステップ４０７でＳＤカード１１０上にはこれ以上記録できないと判断された場合に、ＨＤＤ装置１０８上に記録されているＭＰＥＧ４データと、これから記録しようとするＭＰＥＧ４のデータの合計のファイルサイズがＨＤＤ装置１０８上の所定の記録可能サイズよりも小さいか否かを判断する（ステップ４１０）。
【００６８】
次に、ＨＤＤ装置１０８上のＭＰＥＧ４ファイルに新たなＭＰＥＧ４データを作成・追加記録する（ステップ４１１）。
【００６９】
ステップ４０７乃至４１１において、例えば具体的に、録画予約された２時間分の映像を録画を実施する場合について説明する。図８はＳＤカード１１０に録画データの総てが入りきらなかった場合の上記のフローに基づいてＭＰＥＧ４ファイルを分割録画した場合の、データの分割状況の例を概念的に示す概念図である。録画実施の結果、録画されたＭＰＥＧ４のデータは、例えば図８に示すように分割されて、それぞれＳＤカード１１０、ＨＤＤ装置１０８に格納される。図８の例においては、ＳＤカード１１０には２時間の映像データ全体のうち、前半の１５０ＭＢ程度が録画され、残りの３００ＭＢ程度のデータはＨＤＤ装置１０８に録画されたことになる。
【００７０】
または、ステップ４０３乃至４１１の動作は、挿抜検出部１０１３がＳＤカード１１０の情報記録装置１００への挿抜状態を検出し（ステップ４０３’：図示せず）、記録容量決定部１０１１がＳＤカード１１０の記録可能容量を獲得し、記録可能な容量を超えない所定のサイズをＳＤカード１１０に対する容量として決定し（ステップ４０４’：図示せず）、情報の記録時にＳＤカード１１０が情報記録装置１００に挿入されていない場合に、代替記録部１０１４が一時的にＨＤＤ装置１０８に情報を記録し（ステップ４１１’：図示せず）、こうしてＨＤＤ装置１０８に録画された情報を情報分割部１０１５が記録容量決定部１０１１により決定した容量となる前半部分の情報と残りの後半部分の情報に分割し（図示せず）、記録制御部１０１２が当該記録容量決定部１０１１により決定された容量までの前半部分をＳＤカード１１０に記録するようにＳＤカード制御装置１０９を制御し、残りの後半部分をＨＤＤ装置１０８に記録するようにＩＤＥコントローラ１０７を制御する（ステップ４０７’乃至ステップ４１１’：図示せず）ようにしてもよい。また、情報分割部１０１５においては、情報調整部１０１５１がＭＰＥＧ方式の映像情報として記録された情報に対して分割位置を調整し、ヘッダ等の必要な情報を補う（図示せず）ようにしてもよい。
【００７１】
最後に、予約録画が終了した状態をもってフローチャートの終点とする（ステップ４１２）。図９は録画終了後の機器内部での録画予約管理情報の一例を示す図である。図９（ａ）によると、ＳＤカード１１０上には１００．ｍｏｖｉｅというファイル名で録画映像の前半部分が格納され、ＨＤＤ装置１０８上には１００＿ｔｍｐ．ｍｏｖｉｅというファイル名で録画映像の後半が格納されているものである。図９（ｂ）は図９（ａ）の管理情報のデータから生成し、ＳＤカード１１０上に格納された１００．ｍｏｖｉｅに対するＳＤカード１１０側の管理情報の一例を示す図である。図９（ｂ）によると、１００．ｍｏｖｉｅは１８００秒分の録画映像であり、残りの部分が￥￥ＨＤＤ￥ＴＭＰ￥１００＿ｔｍｐ．ｍｏｖｉｅというファイルでＨＤＤ装置１０８上に格納されていることが指し示されている。
【００７２】
次に、本発明の一実施形態に係るＳＤカードが挿入された後、録画データを自動的にＳＤカードに記録する動作をフローチャート及び概念図を用いて説明する。
【００７３】
図１０は、本発明に係る情報記録装置にＳＤカード１１０が挿入された後、録画データを自動的にＳＤカード１１０に記録する動作を表すフローチャートである。図１１はＳＤカード１１０挿入時にＳＤカード１１０に移動されるＭＰＥＧ４データの例を示す概念図である。図１１の上段の録画映像１〜録画映像８は、図１０のフローチャートの起点（ステップ６０１）の状態を示す。
【００７４】
まず、図１０のフローチャートにおいて、ＳＤカード１１０の挿入を検出し空き容量情報を抽出し（ステップ６０２及び６０３）た後、ＨＤＤ装置１０８上のＭＰＥＧ４ファイルのうち、ＳＤカード１１０への記録が予定されているファイルを抽出する（ステップ６０４）。図１１では中段の録画映像２、３、５、６、８が抽出されたＭＰＥＧ４ファイルに相当する。
【００７５】
次に、ＭＰＥＧ４ファイルのうち、任意の１つのファイルを選択し、ＳＤカード１１０に記録可能か否かを判定する（ステップ６０５）。図１１の例では、例えば、記録時刻順に古いものから選択される。
【００７６】
上記の手続を図１１の録画映像２、３に対して実施し（ステップ６０５及び６０６）た後、録画映像５をＳＤカード１１０での記録対象とした場合、ステップ６０５の条件判断処理において、録画映像５はＳＤカード１１０に録画するにはファイルサイズが大きすぎるものと判定された場合（ステップ６０５でＮｏ）を考える。
【００７７】
この場合、現時点でのＳＤカード１１０の空き容量に対応するように、録画映像５を録画可能なサイズの前半部分：録画画像５Ａと残りの後半部分：録画画像５Ｂに分割し（ステップ６０７）、録画画像５ＡをＳＤカード１１０に移動する（ステップ６０８）。
【００７８】
これらの処理の結果、ＳＤカード１１０挿入時にＳＤカード１１０の空き容量一杯までの映像データをＨＤＤ装置１０８からＳＤカード１１０上に移動することが実現される。
【００７９】
次に、本発明の異なる実施形態について図面を用いて説明する。
【００８０】
図１２は本発明の他の一実施形態に係る情報記録再生システムの機器構成の例を示すブロック図である。同図に示すように、本発明の情報記録再生システム１０は少なくとも情報記録装置１００及び携帯型映像再生機器３００を備えて構成される。
【００８１】
情報記録装置１００の機器構成は図１に図示したものと基本的に同様である。したがって、同様の部分については図示せず、説明も図１についてしたものをもって替える。主ＣＰＵ１０１ｃは、少なくとも、記録制御部１０１２、情報読取部１０１６、及び削除部１０１７を備えて構成される。記録制御部１０１２の機能については上記の説明をもって替える。
【００８２】
情報読取部１０１６は、情報記録装置１００にＳＤカード１１０が挿入された場合、その視聴実績情報を読み取り、最後或いはその近傍まで映像情報を見終えたか否かを判断する機能を有する。削除部１０１７は、情報読取部１０１６がＳＤカード１１０について最後或いはその近傍まで映像情報を見終えたと判断する場合に当該映像情報データをＳＤカード１１０から削除する機能を有する。
【００８３】
携帯型映像再生機器３００は、少なくとも、主制御部３００１、記録部３００３、ディスプレイ部３００５、視聴実績情報記録部３００７、及びＳＤカード挿入部３００９を備えて構成される。
【００８４】
主制御部３００１は、記録部３００３に展開された実行プログラムに従い、機器の各種デバイスを制御する。記録部３００３は、各種デバイスの動作を実行させるプログラムを格納するほか、映像情報の符号化のためのデジタルデータの一時格納先等に利用するバッファを有する。ディスプレイ部３００５は、復号された映像情報の表示や、利用者へのユーザインターフェースのための画像・文字情報を表示或いはその制御をする機能を有する。
【００８５】
視聴実績情報記録部３００７は、ＳＤカード１１０が携帯型映像再生機器３００に挿入され該ＳＤカード１１０に記録された映像情報がユーザによって視聴された場合に当該（視聴されたという）視聴実績情報を該ＳＤカード中の所定の管理情報データ（テーブル）に記録する機能を有する。ＳＤカード挿入部３００９は、ＳＤカード１１０の挿入口のほか、ＳＤカード１１０が携帯型映像再生機器３００に挿入されたかどうかを検出する。
【００８６】
図１３は、メモリ装置１０２上に格納される視聴実績情報の一例を示すものである。
【００８７】
上段はメモリ装置１０２上に記録されている、録画番号１００番の映像データに関する視聴実績情報であり、最後に視聴した位置が７２００秒となっている。
【００８８】
中段はメモリ装置１０２上に記録されている、録画番号１０１番の映像データに関する視聴実績情報であり、最後に視聴した位置が３５６０秒となっている。
【００８９】
下段はメモリ装置１０２上に記録されている、録画番号１０２番の映像データに関する視聴実績情報であり、最後に視聴した位置が１２００秒となっている。
【００９０】
次に、このように構成される本発明の一実施形態に係る情報記録再生システムの動作を説明する。
【００９１】
図１４は、本発明に係る情報記録再生システムの動作を表すフローチャートである。  
同図に示すように、まず、ＳＤカード１１０が情報記録装置１００にいまだ挿入されていない状態がスタートポイントである（ステップ７０１）。
【００９２】
次に、情報記録装置１００のＳＤカード制御装置１０９が、ＳＤカード１１０が挿入されたことを検出した（ステップ７０２）ことが主ＣＰＵ１０１ｃに信号送信されると、主ＣＰＵ１０１ｃの情報読取部１０１６が、ＳＤカード１１０内の管理情報データ（テーブル）にある視聴実績情報を読みこむ（ステップ７０３）。
【００９３】
主ＣＰＵ１０１ｃは、読みこまれた視聴実績情報のうち、録画映像の最後の視聴位置が映像の終端かどうかを判断する（ステップ７０５）。録画映像の最後の視聴位置が映像の終端ならば、当該録画映像は視聴済とみなして、主ＣＰＵ１０１ｃの削除部１０１７が当該映像情報と対応する視聴実績情報とを削除する（ステップ７０６）。この処理を総ての視聴実績情報に対して行い、処理すべきデータがなくなれば一連の処理を終了する（ステップ７１０）。
【００９４】
ステップ７０５で録画映像の最後の視聴位置が映像の終端でない場合（ステップ７０５のＮｏ）には、録画映像の最後の視聴位置が映像の終端近傍か（つまり、録画映像の主要部分については視聴済であるが付随するＣＭについては必要無いため視聴していない、など）、例えば、録画映像の最後の視聴位置が映像の終端から３分以内かどうかを主ＣＰＵ１０１ｃが判断する（ステップ７０７）。
【００９５】
このとき、録画映像の最後の視聴位置が映像の終端から３分以内である場合には、例えば、録画映像の主要部分については視聴済であるが付随するＣＭについては必要無いため視聴していない状況が推定されるため、副ＣＰＵ１１５はパネルＬＥＤ制御装置１１８を制御して、削除の可否を利用者に選択させるためのメッセージを（図示しない）画面に表示させる（ステップ７０８）。スイッチ制御装置１１７が（図示しない）機器前面パネルの削除ボタンが押印された旨の信号を発信すると（ステップ７０９のＹｅｓ）、ステップ７０６に進む。
【００９６】
一方、録画映像の最後の視聴位置が映像の終端から３分以内でない（ステップ７０７のＮｏ）場合には、録画映像の主要部分については視聴済でないと推定されるので、ステップ７０４に戻る。
【００９７】
以上に説明したステップ７０１からステップ７１０の処理を実施することにより、本システムは、視聴済み映像データを削除する機能を機器側で搭載することになり、ユーザのＳＤカードへの映像情報の記録に伴う管理作業を大幅に削減することが可能となる。
【００９８】
このように、本発明によれば、記録対象のメモリカードの空き容量を検出し、メモリカードに記録可能な分まで録画時に録画を実施し、残りの部分はＨＤＤ等の大容量の記録装置に記録する機能を機器側で持たせているので、適応的に記録媒体の記録可能容量に適した映像データを蓄積することが可能となる。
【００９９】
また、本発明によれば、既に記録済みの映像データをメモリカードに記録する場合、記録対象のメモリカードの空き容量を検出し、メモリカードに記録可能なサイズの前半部分のデータと残りの後半部分のデータに分割し、前半部分のデータをメモリカードに記録し、残りの部分のみをＨＤＤに残すように機器側で制御するので、既に記録済みの大きなファイルがあった場合には、分割して記録可能な部分までをリムーバブルメディアに格納する機能が生き、ユーザはＳＤカードを含むリムーバブル・メディアへの映像情報の記録に伴う管理作業を大幅に削減することが可能となる。
【０１００】
さらに、本発明によれば、メモリカードに記録されている映像データに対し、その視聴データを併せてメモリカードに記録しておき、メモリカードが映像記録装置に挿入された際に、その視聴記録に従い、最後に視聴した位置が映像データの終端である場合や、終端に近い場合は、その映像データは視聴済みと見なして削除する機能を機器側で持たせているので、記録媒体のデータ管理の省力化を実現することができる。
【０１０１】
このことは、今後益々利用されるであろうリムーバブル・メディアについて携帯型情報再生機器の利便性をより向上させ、産業や趣味的分野を含む多くの分野において映像情報の利用を可能ならしめるという効果をもたらす。これにより、各種産業における情報端末、特に映像情報端末の利用を更に活発化し、一層の産業発達に資することが望み得る。
【０１０２】
なお、本発明は、上述した実施形態には限定されず、本発明の技術思想の範囲内で様々な変形が可能である。
【０１０３】
例えば、上述した実施形態では、情報記録装置としての本願発明の実施形態について説明したが、本発明は情報記録装置としての形態に限定されず、同じ技術思想に基づく情報記録方法、情報記録システム、或いはこれらの機能を搭載したソフトウェア、記録媒体（ＲＯＭ等）としても、または、情報処理装置、情報処理方法、情報処理システム、或いはこれらの機能を搭載したソフトウェア、記録媒体（ＲＯＭ等）としても、それぞれ本発明の技術思想の範囲内で実現可能である。
【０１０４】
また、上述した本実施形態においては、録画映像情報の管理情報について、管理テーブルを用いて説明したが、このようなテーブルに限定されるものではない。
【０１０５】
さらに、本発明は、上記に挙げた装置、方法、ソフトウェア、システムに限らず、これを組み込んだ複合機械或いは複合装置一般として、またはそれらの一部として、或いは、これらと他の機能とを組み合わせたものとしても、実現することが可能である。
【０１０６】
またさらに本願発明は、その技術思想の同一及び等価に及ぶ範囲において様々な変形、追加、置換、拡大、縮小等を許容するものである。また、本願発明を用いて生産される装置、方法、ソフトウェア、システムが、その２次的生産品に登載されて商品化された場合であっても、本願発明の価値は何ら減ずるものではない。
【産業上の利用可能性】
【０１０７】
本発明によれば、記録媒体のサイズを検出する手段と映像データを分割する手段を搭載することにより、適応的に記録媒体の記録可能容量に適した映像データを蓄積することが可能となる。
【０１０８】
また本発明によれば、視聴済み映像データを削除する機能を搭載することにより、記録媒体のデータ管理の省力化を実現することができるようになる。
【図面の簡単な説明】
【０１０９】
【図１】本発明の一実施形態に係る情報記録装置の機器構成の例を示すブロック図である。
【図２】本発明の一実施形態に係る情報記録装置の主ＣＰＵ１０１のさらに詳細な構成を示すブロック図である。
【図３】本発明に係る情報記録装置の録画に関する動作を表すフローチャートである。
【図４】本発明に係る情報記録装置の録画予約に関する動作を表すフローチャートである。
【図５】本発明に係る録画予約された設定の機器内部での録画予約管理情報の一例を示す概念図である。
【図６】ＳＤカードの情報を取得した結果の一例を示す図である。
【図７】ＨＤＤ装置の情報を取得、更新した結果の一例を示す図である。
【図８】ＳＤカードに録画データの総てが入りきらなかった場合にＭＰＥＧ４ファイルを分割録画したときの、データの分割状況の例を概念的に示す概念図である。
【図９】録画終了後の機器内部での録画予約管理情報の一例を示す図である。
【図１０】本発明に係る情報記録装置にＳＤカードが挿入された後、録画データを自動的にＳＤカードに記録する動作を表すフローチャートである。
【図１１】ＳＤカード挿入時にＳＤカードに移動されるＭＰＥＧ４データの例を示す概念図である。
【図１２】本発明の他の一実施形態に係る情報記録再生システムの機器構成の例を示すブロック図である。
【図１３】メモリ装置上に格納される視聴実績情報の一例を示す図である。
【図１４】本発明に係る情報記録再生システムの動作を表すフローチャートである。
【符号の説明】
【０１１０】
１０…情報記録再生システム、１００…情報記録装置、１０１，１０１ａ，１０１ｂ，１０１ｃ…主ＣＰＵ、１０２…メモリ装置、１０３…バスブリッジ、１０４…ディスプレイ制御装置、１０５…ＮＴＳＣデコーダ、１０６…ＰＣＩバス、１０７…ＩＤＥコントローラ、１０８…ＨＤＤ装置、１０９…ＳＤカード制御装置、１１０…ＳＤカード、１１１…ＰＣＭデコーダ、１１２…ＭＰＥＧ４エンコーダ、１１３…テレビチューナ装置、１１４…ネットワークインターフェース装置（ＮＩＣ）、１１５…副ＣＰＵ、１１６…リモコン信号受信装置、１１７…スイッチ制御装置、１１８…パネルＬＥＤ制御装置、３００…携帯型映像再生機器、１０１１…記録容量決定部、１０１２…記録制御部、１０１３…挿抜検出部、１０１４…代替記録部、１０１５…情報分割部、１０１６…情報読取部、１０１７…削除部、３００１…主制御部、３００３…記録部、３００５…ディスプレイ部、３００７…視聴実績情報記録部、３００９…ＳＤカード挿入部、１０１５１…情報調整部
【図１】
2005347895.tif 000003
【図２】
2005347895.tif 000004
【図３】
2005347895.tif 000005
【図４】
2005347895.tif 000006
【図５】
2005347895.tif 000007
【図６】
2005347895.tif 000008
【図７】
2005347895.tif 000009
【図８】
2005347895.tif 000010
【図９】
2005347895.tif 000011
【図１０】
2005347895.tif 000012
【図１１】
2005347895.tif 000013
【図１２】
2005347895.tif 000014
【図１３】
2005347895.tif 000015
【図１４】
2005347895.tif 000016